(57)【要約】【課題】  本考案は複数のメモリカードの同時挿入の防止を実現することができるを提供することを目的とする。【解決手段】  本考案は複数のメモリカードの同時挿入の防止を実現することができるメモリカードリーダに関し、メモリカードリーダは何種類ものメモリカードを収納し、少なくともメモリカードの収納槽を２個有する絶縁本体と、メモリカードと接続する複数の導電端子グループとを備える。また、リーダには複数のメモリカードの同時挿入を防止できるスプリングピースが隣接収納槽にセットされている。スプリングピースは、絶縁本体に保持されている保持部と、保持部から延長された弾力アームと、弾力アームから成されたすくなくとも１つの隣接収納槽へ押付けられる接触部の３部分から構成されている。一種のメモリカードを収納槽に挿入すると、接触部は押され、弾力アームに変形が生じ、弾力アームが隣接収納槽に突入させられ、他のメモリカードが挿入不能となる。【選択図】図２
0003109893.tif 000002
【実用新案登録請求の範囲】
【請求項１】
メモリカードリーダにおいて、該メモリカードリーダは、
少なくとも二つの収納槽を含む絶縁本体と、
各種類のメモリカードに対応する複数の端子グループと、
隣接する収納槽の隣接される辺に設置され、複数のメモリカードの同時挿入を防止でき、絶縁本体に固着される保持部と、該保持部から延伸する弾力アームと、収納槽に挿入される接触部と、を含むスプリングピースと、を備え、
前記メモリカードが一つの収納槽に押圧される時、弾力アームの弾性変形によって、スプリングピースが他の収納槽に嵌め込まれ、他のメモリカードが挿入不能となることを特徴とするメモリカードリーダ。
【請求項２】
前記スプリングピースは、弾力片になり、接触部が弾力アームの対向する両側から背離して延設されることを特徴とする請求項１に記載のメモリカードリーダ。
【請求項３】
前記接触部の前部には、メモリカードの挿入を引き込む斜辺が設けられることを特徴とする請求項２に記載のメモリカードリーダ。
【請求項４】
前記スプリングピースには、弾力アームから背離して突出する二つの三角形の接触部が設けられることを特徴とする請求項１に記載のメモリカードリーダ。
【請求項５】
前記弾力アームの両側に設置される接触部は、弾力アームの前端に設けられる台形の第１接触部と、該第１接触部より突出する台形の第２接触部と、を含むことを特徴とする請求項１に記載のメモリカードリーダ。
【請求項６】
前記スプリングピースの保持部は、弾力アームと垂直に連接されることを特徴とする請求項１に記載のメモリカードリーダ。
【請求項７】
前記メモリカードリーダは、収納槽が縦向に配列され、接触部が一部分に収容される貫通槽が設けられるセパレーターを有することを特徴とする請求項１に記載のメモリカードリーダ。
【請求項８】
前記メモリカードリーダには、収納槽が横向に配列され、弾力アームが挿入される長槽と、接触部を収容する貫通槽が開設されることを特徴とする請求項１に記載のメモリカードリーダ。
【請求項９】
前記メモリカードリーダは、少なくとも三つの収納槽を有し、その中の二つの収納槽が縦向に配列され、互いに貫通するとともに一部分が互いに重なることを特徴とする請求項１に記載のメモリカードリーダ。
【考案の詳細な説明】
【技術分野】
【０００１】
本考案はメモリカードリーダに関し、特に複数の種類のメモリカードを挿入することが実現でき、且つ、どの種類のメモリカードが挿入されても、他のメモリカードの挿入を防止できるメモリカードリーダに関する。
【背景技術】
【０００２】
デジカメ、携帯電話、ＰＤＡなどの普及に伴い、メモリカードの使用も頻繁になる昨今となっている。ただし、ＳＤ  Ｃａｒｄ（登録商標、以下ではＳＤと称する）、Ｃｏｍｐａｃｔ  Ｆｌａｓｈ  Ｃａｒｄ（登録商標、以下ではＣＦと称する）、Ｓｍａｒｔ  Ｍｅｄｉａ  Ｃａｒｄ（登録商標、以下ではＳＭと称する）、Ｍｅｍｏｒｙ  Ｓｔｉｃｋ（登録商標、以下ではＭＳと称する）及びｘＤ−Ｐｉｃｔｕｒｅ  Ｃａｒｄ（登録商標、以下ではＸＤと称する）等とその仕様が様々のため、長さと幅も統一されていない。結局、メモリカードの各仕様に対応するリーダの開発が必要となっている。従って、どの仕様のメモリカードにも対応できるよう、リーダの互換性を持つ設計の傾向が顕著化している。
【０００３】
ところが、この互換性を持つリーダには複数のスロットがセットされているため、メモリカードを複数挿入することが可能となっている。例えば、ＣＦカードをＣＦ用スロットに挿入すると同時に、ＳＤカードまたは他の仕様のメモリカードをＳＤ用またはそれと対応するスロットに挿入できる。ただ、互換性を持つリーダは複数のスロットのうち、１スロットのリードに対してのみ対応できる。メモリカードを互換性を持つリーダが容易に識別し、リード作業を補正させるよう、後者に繋がっているコンピュータに専用ソフトを導入することが考えられる。しかし、専用ソフトを開発するには、費用も時間も必要となる。或いは、互換性を持つリーダに電気識別機能を追加した検出端子をセットすることも可能であるが、これも検出回路の設計が手間取る。
【０００４】
従って、本考案は前記の欠点を克服するために一種の新たなメモリカードリーダを設計する。
【考案の開示】
【考案が解決しようとする課題】
【０００５】
本考案の目的は、このような従来の問題点を解決したメモリカードリーダを提供することである。すなわち、従来の技術と違って、複数のメモリカードの同時挿入の防止を実現することができるメモリカードリーダが得られるようにする。
【課題を解決するための手段】
【０００６】
本考案は複数のメモリカードの同時挿入の防止を実現することができるメモリカードリーダに関し、一種のメモリカードリーダは、何種類ものメモリカードを収納し、少なくともメモリカードの収納槽を２個有する絶縁本体と、メモリカードと接続する複数の導電端子グループとを備える。また、リーダには複数のメモリカードの同時挿入を防止できるスプリングピースが隣接収納槽にセットされている。スプリングピースは、絶縁本体に保持されている保持部と、保持部から延長された弾力アームと、弾力アームから成されたすくなくとも１つの隣接収納槽へ押付けられる接触部の３部分から構成されている。一種のメモリカードを収納槽に挿入すると、接触部は押され、弾力アームに変形が生じ、弾力アームが隣接収納槽に突入させられ、他のメモリカードが挿入不能となる。
【考案の効果】
【０００７】
従来の技術に比べると、本考案は以下の長所がある。メモリカードリーダは、隣接収納槽にスプリングピースをセットし、メモリカードが１枚挿入されると、スプリングピースの接触部は弾力作用により、変形が生じ、隣接収納槽へ突入し、この収納槽への他のメモリカードの挿入を防止でき、常にリーダへのメモリカード挿入を一枚のみ認める。結果としては、リーダに電子識別部品を追加したり、コンピュータに専用ソフトを導入したりする手間が省かれ、しかもその製造や組立も容易に行える。
【考案を実施するための最良の形態】
【０００８】
図１乃至図５に示すように、本考案のメモリカードリーダは、絶縁本体１と、ＣＦ端子グループ２と、ＳＤ・ＭＭＣ端子グループ３と、ＭＳ端子グループ４と、ＸＤ端子グループ５と、スプリングピースとを備える。本実施例において、該スプリングピースは、第１弾力片６及び第２弾力片７を指す。
【０００９】
ほぼ矩形の前記絶縁本体１は、カバー１００と、一対の側壁１０１と、セパレーター１０２と、底板１０３と、中間壁１０４と、上壁１１１と、下壁１２１と、を有する。絶縁本体１上部には、ＣＦカード収納槽１１が開設される。該ＣＦカード収納槽１１の下には、ＳＤ・ＭＭＣカード収納槽１２と、ＭＳカード収納槽１３と、ＸＤカード収納槽１４と、を並列に設ける。該中間壁１０４によって、ＳＤ・ＭＭＣカード収納槽１２は、ＭＳカードカード収納槽１３とＸＤカード収納槽１４から隔てられる。
【００１０】
ＣＦカード収納槽１１は、カバー１００と、上壁１１１と、セパレーター１０２とから構成される。ＣＦ端子グループ２は、ＣＦカード収納槽１１の後部から挿入され、且つ収納槽１１の後部に並列に配列される。又、一対のバネ体１１２とスライド体１１３は、それぞれＣＦ端子グループ２の両側と前部に設置される。上壁１１１の前部には、係合端子１１４が設けられる。ＣＦカードは、側壁１１１に沿って挿入される時、係合端子１１４によって、ＣＦカードの前部がスライド体１１３に接触し、ＣＦ端子グループ２に電気接続される。
【００１１】
ＳＤカード収納槽１２は、セパレーター１０２と、下壁１２１と、中間壁１０４と、底板１０３とから構成される。ＳＤ・ＭＭＣカードは、底板１０３から、後部へ挿入される。ＳＤカード収納槽１２の横に設けられるＭＳカード収納槽１３とＸＤカード収納槽１４は、縦向に配列され、互いに貫通する。ＭＳ端子グループ４が、ＭＳカード収納槽１３の後部に挿入される。ＸＤ端子グループ５が、ＸＤカード収納槽１４の前部に挿入される。
【００１２】
図５において、ＭＳカード収納槽１３とＸＤカード収納槽１４は、縦向に配列され、互いに貫通するとともに、一部分が互いに重なる。結果としては、ＭＳカードが挿入される時、ＸＤカード収納槽１４の上部のスペースが占められる。同時に、ＸＤカードが挿入される時、ＭＳカード収納槽１３の下部のスペースが占められる。
【００１３】
図６乃至図１１に示すように、絶縁本体１のセパレーター１０２には、一対のスロット１０２１が設けられる。中間壁１０４の両側には、係合槽１０４４が開設される。前記第１弾力片６は、係合槽１０４４に嵌め込まれる第１保持部６０と、中間壁１０４の側面に隣接する第１アーム６１と、該第１アーム６１の対向する両側から背離して延設され、スロット１０２１に挿入される三角形の上接触部６２と、下接触部６３と、を備える。該接触部６２、６３の前部には、メモリカードの挿入を引き込む斜辺が設けられる。ＣＦカードが前記斜辺によって、ＣＦカード収納槽１１に沿って挿入される時、上接触部６２がセパレーター１０２と同じ平面に押付けられる。ＣＦカードは、その状態で、ＣＦ端子グループ２に接触し、電気的な接続が達成される。同時に、第１アーム６１の弾性変形によって、上接触部６２が下向きに押圧されることに従って、下接触部６３が下向きに、ＳＤ・ＭＭＣカード収納槽１２、ＭＳカード収納槽１３、及びＸＤカード収納槽１４に押圧される。その時、どのカードも挿入できない。
【００１４】
ＳＤカード、ＭＳカード、或いはＸＤカードが、対応する収納槽に挿入される時、第１弾力片６の下接触部６３が上向きにＣＦカード収納槽１１に押付けられる。結果としては、他のカードが挿入できない。
【００１５】
図３、図４、及び図１２乃至図１５において、中間壁１０４に設けられる第２弾力片７は、第２保持部７０と、第２保持部７０と垂直に連接する第２アーム７１と、第２アーム７１の前端に設けられる端部７３と、該端部７３から横に突出する第１接触部７２と、該第１接触部より突出する台形の第２接触部７４と、を備える。第１接触部７２と台形の第２接触部７４は、背離して突出する。
【００１６】
中間壁１０４の末端には、固定槽１０４１が開設される。長槽１０４２は、該固定槽１０４１の前部に開設され、貫通槽１０４３が長槽１０４２の前部に設置される。該貫通槽１０４３によって、ＳＤ・ＭＭＣカード収納槽１２と、ＭＳカード収納槽１３と、ＸＤカード収納槽１４は、一部分が貫通される。第２弾力片７の第２保持部７０が下向きに固定槽１０４１に挿入され、第２アーム７１が長槽１０４２に嵌め込まれるとともに、接触部が貫通槽１０４３に収容される。その中で、端部７３と第２接触部７４は、それぞれ一部分がＭＳカード収納槽１３とＸＤカード収納槽１４に収納される。ＳＤ・ＭＭＣカードがＳＤ・ＭＭＣカード収納槽１２に挿入される時、第１接触部７２が貫通槽１０４３に押圧されるとともに、端部７３と第２接触部７４が、それぞれＭＳカード収納槽１３とＸＤカード収納槽１４に嵌め込まれる。その時、ＭＳカード、或いはＸＤカードは、挿入しようとすると、端部７３と第２接触部７４によって、収納槽に挿入されることができない。
【００１７】
ＭＳカードがＭＳカード収納槽１３に挿入される時、第２接触部７４が左に押圧され、第２アーム７１の弾性変形によって、第１接触部７２がＳＤ・ＭＭＣカード収納槽１２に押圧され、ＳＤ・ＭＭＣカードが挿入されることができない。
【００１８】
ＸＤカードがＸＤカード収納槽１４に挿入される時、第１接触部７２がＳＤ・ＭＭＣカード収納槽１２に押付けられ、ＳＤ・ＭＭＣカードが挿入されることができない。ＸＤカードとＭＳカードの長さ、幅さが異なることによって、端部７３、第２接触部７４の幅が異なる。又、他の実施において、接触部は弓形の可能性がある。
【００１９】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００２０】
本考案はメモリカードリーダに関し、特に複数のメモリカードの同時挿入の防止を実現することができるメモリカードリーダに関する。
【図面の簡単な説明】
【００２１】
【図１】本考案のメモリカードリーダの立体組合図である。
【図２】本考案のカバーを除くメモリカードリーダの立体組合図である。
【図３】本考案の図２におけるメモリカードリーダの他の立体図である。
【図４】本考案のメモリカードリーダの下からの視角図である。
【図５】本考案のメモリカードリーダの正面図である。
【図６】本考案のメモリカードリーダの第１弾力片、第２弾力片の立体図である。
【図７】本考案のメモリカードリーダの図２のＶＩＩ−ＶＩＩの方向に沿っての断面図である。
【図８】本考案のＣＦカードが挿入される時、メモリカードリーダの図２のＶＩＩ−ＶＩＩの方向に沿っての断面図である。
【図９】本考案のＳＤ・ＭＭＣカードが挿入される時、メモリカードリーダの図２のＶＩＩ−ＶＩＩの方向に沿っての断面図である。
【図１０】本考案のＭＳカードが挿入される時、メモリカードリーダの図２のＶ−Ｖの方向に沿っての断面図である。
【図１１】本考案のＸＤカードが挿入される時、メモリカードリーダの図２のＶ−Ｖの方向に沿っての断面図である。
【図１２】本考案のメモリカードリーダの図５のＸＩＩ−ＸＩＩの方向に沿っての断面図である。
【図１３】本考案のＳＤ・ＭＭＣカードが挿入される時、メモリカードリーダの図５のＸＩＩ−ＸＩＩの方向に沿っての断面図である。
【図１４】本考案のＭＳカードが挿入される時、メモリカードリーダの図５のＸＩＩ−ＸＩＩの方向に沿っての断面図である。
【図１５】本考案のＸＤカードが挿入される時、メモリカードリーダの図５のＸＩＩ−ＸＩＩの方向に沿っての断面図である。
【符号の説明】
【００２２】
１  絶縁本体
２  ＣＦ端子グループ
３  ＳＤ・ＭＭＣ端子グループ
４  ＭＳ端子グループ
５  ＸＤ端子グループ
６  第１弾力片
７  第２弾力片
１１  ＣＦカード収納槽
１２  ＳＤ・ＭＭＣカード収納槽
１３  ＭＳカード収納槽
１４  ＸＤカード収納槽
６０  第１保持部
６１  第１アーム
６２  上接触部
６３  下接触部
７０  第２保持部
７１  第２アーム
７２  第１接触部
７３  端部
７４  第２接触部
１００  カバー
１０１  側壁
１０２  セパレーター
１０３  底板
１０４  中間壁
１１１  上壁
１１２  バネ体
１１３  スライド体
１１４  係合端子
１２１  下壁
１０２１  スロット
１０４１  固定槽
１０４２  長槽
１０４３  貫通槽
１０４４  係合槽
【図１】
0003109893.tif 000003
【図２】
0003109893.tif 000004
【図３】
0003109893.tif 000005
【図４】
0003109893.tif 000006
【図５】
0003109893.tif 000007
【図６】
0003109893.tif 000008
【図７】
0003109893.tif 000009
【図８】
0003109893.tif 000010
【図９】
0003109893.tif 000011
【図１０】
0003109893.tif 000012
【図１１】
0003109893.tif 000013
【図１２】
0003109893.tif 000014
【図１３】
0003109893.tif 000015
【図１４】
0003109893.tif 000016
【図１５】
0003109893.tif 000017